(57)【特許請求の範囲】
【請求項１】
表示装置本体の前面側に設けられた第１のシールド部材と、前記表示装置本体の表示面以外を覆う第２のシールド部材とにより、前記表示装置本体を収納する筐体を構成した表示装置であって、
前記表示装置本体は、画像を表示する表示パネルと、該表示パネルを駆動させる駆動回路装置とを有しており、
前記第２のシールド部材は、磁性金属粒子を分散した樹脂により形成され、前記駆動回路装置と対向する前記第２のシールド部材の面に形成されたグランド面を有し、
前記グランド面と前記駆動回路装置とをグランド接続するグランド接続部材を設けたことを特徴とする表示装置。
【発明の詳細な説明】
【技術分野】
【０００１】
本発明は、表示装置に係り、特に電磁波及び静的な磁界を放出する表示装置本体を収納する筐体に電磁波をシールドするシールド部材を備えた表示装置に関する。
【背景技術】
【０００２】
一般的に、表示装置では、表示装置本体から輻射される電磁波が外部に漏れることを防ぐためのシールド部材が設けられている。表示装置のうちの１つであるプラズマディスプレイ装置では、プラズマディスプレイパネル（以下、ＰＤＰとする）を駆動するための駆動回路を有しており、この駆動回路は、電気信号をデジタル処理する際に電磁波を放出する。また、ＰＤＰ自身も電磁波を発生するため、ＰＤＰ及びその駆動回路は、電磁波の発生源となる。このような電磁波は、周辺にある電子機器に誤動作等の悪影響を及ぼす。そのため、ＰＤＰ及びその駆動回路は、表示装置の外部に電磁波が漏洩することを防止するために、シールド機能を有した筐体内に収納されている。
【０００３】
図１は、従来のプラズマディスプレイ装置の概略を示した断面図である。図１に示すように、プラズマディスプレイ装置１０は、大略するとエスカッション１１と、バックカバー１２と、ＰＤＰ１３と、熱伝導パテ１４と、アルミシャーシ１６と、駆動回路基板１７とにより構成されている。ＰＤＰ１３は、画像を表示するためのものであり、ＰＤＰ１３の装置背面側には、熱伝導パテ１４を介してアルミシャーシ１６が形成されている。アルミシャーシ１６の装置背面側には、ＰＤＰ１３の駆動を制御するための駆動回路基板１７が設けられている。
【０００４】
エスカッション１１は、ＰＤＰ１３の装置前面側に設けられており、金属で形成されている。エスカッション１１は、筐体の一部を形成しており、ＰＤＰ１３から発生された電磁波を遮断するためのものである。
【０００５】
バックカバー１２は、装置背面側に設けられており、金属や炭素繊維等の導電性材料を含んだ樹脂により形成される（例えば、特許文献１参照。）。バックカバー１２は、筐体の一部を形成しており、駆動回路基板１７から発生された電磁波を遮断するためのものである。このようなエスカッション１１とバックカバー１２とを設けることにより、装置内部で発生した電磁波を遮断できる。また、バックカバー１２の材料として、炭素繊維等の導電性材料を含んだ樹脂を用いた際には、金属材料を用いた場合と比較して、軽量化を図ることができ、かつデザイン（形状）の自由度を向上させることができる。
【０００６】
他の従来技術のシールドケースとしては、電磁波ノイズを減衰させる磁性体を含む内層と、電磁波ノイズを遮断し、反射させる導電体からなる外層との２層構造のものがある（例えば、特許文献２参照。）。
【特許文献１】特開２００１−３３２８８６号公報
【特許文献２】特開平１１−２６１２７０号公報
【発明の開示】
【発明が解決しようとする課題】
【０００７】
しかし、プラズマディスプレイ装置１０のような表示装置からは、電磁波以外に静的な磁界も発生される。なお、電磁波とは、電界と磁界とが直交しながら空間を進む波動であり、この場合の磁界は動的なものである（http://member.nifty.ne.jp/m_sada/OPINION/DENJIHA1.html参照。）。また、ここでの静的な磁界とは、全く静止している磁界のみという意味ではなく、わずかに振動する磁界をも含んだ磁界のことである。
【０００８】
このような静的な磁界は、記録媒体等に悪影響を及ぼす。しかしながら、金属や炭素繊維等の導電性材料を含んだ樹脂により形成された従来のバックカバー１２では、静的な磁界に関してなんら考慮されておらず、表示装置内で発生した静的な磁界を遮断することができないという問題があった。
【０００９】
また、樹脂の中に繊維状の炭素繊維を入れたものを用いてバックカバー１２を形成した場合には、金属を用いた場合よりもデザインの自由度が向上するが、繊維状の炭素繊維によりデザインの自由度が制限されるという問題があった。
従来の２層構造のシールドケースにおいても、静的な磁界についてなんら考慮されておらず、表示装置内で発生した静的な磁界を遮断することができないという問題があった。
【００１０】
そこで本発明は、上述した問題点に鑑みなされたものであり、電磁波のみだけでなく、静的な磁界をも遮断でき、かつ筐体のデザインの自由度を向上させることのできる表示装置を提供することを目的とする。
【課題を解決するための手段】
【００１１】
上記課題を解決するために本発明では、次に述べる各手段を講じたことを特徴とするものである。
【００１２】
本発明によれば、表示装置本体の前面側に設けられた第１のシールド部材と、前記表示装置本体の表示面以外を覆う第２のシールド部材とにより、前記表示装置本体を収納する筐体を構成した表示装置であって、前記表示装置本体は、画像を表示する表示パネルと、該表示パネルを駆動させる駆動回路装置とを有しており、前記第２のシールド部材は、磁性金属粒子を分散した樹脂により形成され、前記駆動回路装置と対向する前記第２のシールド部材の面に形成されたグランド面を有し、前記グランド面と前記駆動回路装置とをグランド接続するグランド接続部材を設けたことを特徴とする表示装置が提供される。
【００１３】
上記発明によれば、導電性と磁性とを有した磁性金属粒子を分散した樹脂により第２のシールド部材を形成することで、電磁波のみでなく、従来技術では遮断することのできなかった静的な磁界をも遮断することができる。また、第２のシールド部材を表示装置本体のグラウンドに接続することにより、効率良く静的な磁界を遮断することができる。
【００１４】
なお、電磁波とは、電界と磁界とが直交しながら空間を進む波動であり、この場合の磁界は動的なものである。また、ここでの静的な磁界とは、全く静止している磁界のみという意味ではなく、わずかに振動する磁界をも含んだ磁界と定義する。
【発明の効果】
【００２１】
本発明によれば、電磁波のみだけでなく、静的な磁界をも遮断でき、かつ筐体のデザインの自由度を向上させることのできる表示装置を提供することができる。
【発明を実施するための最良の形態】
【００２２】
次に、図面に基づいて本発明の実施例を説明する。なお、以下の実施例では、表示装置として、プラズマディスプレイ装置を例に挙げて説明する。
［第１実施例］
始めに、図２を参照して、本発明の第１実施例によるプラズマディスプレイ装置２０の概略の構成について説明する。図２は、本発明の第１実施例によるプラズマディスプレイ装置の概略を示した断面図である。なお、図２中に示した「装置前面側」は、表示パネル２３により画像が表示される側（請求項記載の「表示装置本体の前面側」）を示しており、「装置背面側」は、「装置前面側」とは反対側を示している。
【００２３】
プラズマディスプレイ装置２０は、大略するとフィルタ２１と、ＰＤＰ２３と、駆動回路装置２４と、バックカバー２５と、金属シャーシ６４と、フレキシブルケーブル６５とを設けた構成とされている。本実施例では、フィルタ２１とバックカバー２５とで筐体が構成されている。表示パネルであるＰＤＰ２３は、複数の素子（図示せず）により構成されている。これら複数の素子には、素子を選択駆動するためのＸ電極、Ｙ電極及びアドレス電極が形成されている。
【００２４】
ＰＤＰ２３の画像表示領域２３Ａは、画像が表示される領域を示している。ＰＤＰ２３の装置前面側には、フィルタ２１が設けられている。第１のシールド部材であるフィルタ２１は、薄い金属板に微細なメッシュ加工を施したものであり、ＰＤＰ２３から放出される電磁波を遮断するためのものである。ＰＤＰ２３の装置背面側には、金属シャーシ６４と駆動回路装置２４とが設けられている。
【００２５】
次に、図３を参照して、駆動回路装置２４の概略の構成について説明する。図３は、駆動回路装置の概略図である。駆動回路装置２４は、大略するとＸ電極駆動回路２６と、Ｙ電極駆動回路２７と、電源回路２８と、アドレス駆動回路３１と、制御回路部３２とにより構成されている。
【００２６】
Ｘ電極駆動回路２６は、ＰＤＰ２３に設けられたＸ電極に電圧を印加するためのものであり、Ｙ電極駆動回路２７は、ＰＤＰ２３に設けられたＹ電極に電圧を印加するためのものである。また、アドレス駆動回路３１は、アドレス電極に電圧を印加するためのものである。
【００２７】
電源回路２８は、駆動回路装置２４の電源を供給する回路である。制御回路部３２は、Ｘ電極駆動回路２６、Ｙ電極駆動回路２７、電源回路２８、及びアドレス駆動回路３１を制御するためのものである。駆動回路装置２４は、ＰＤＰ２３を駆動制御するためのものである。また、フレキシブルケーブル６５は、駆動回路装置２４とＰＤＰ２３とを接続するためのものである。
【００２８】
駆動回路装置２４の装置背面側には、表示面である画像表示領域２３Ａ以外を覆うバックカバー２５が設けられている。第２のシールド部材であるバックカバー１２は、ＰＤＰ２３及び駆動回路装置２４を内包するように、フィルタ２１と接続されている。次に、図４を参照して、バックカバー１２を構成する材料について説明する。図４は、本実施例のバックカバーに適用される材料を模式的に示した図である。
【００２９】
図４に示すように、バックカバー１２の材料には、樹脂３５と磁性金属粒子３６とから構成されている。バックカバー１２は、磁性金属粒子３６を分散させた樹脂３５を溶解させて、金型等に流し込むことにより形成される。樹脂３５には、熱仮塑性の樹脂材料を用いることができる。磁性金属粒子３６には、金属と磁性の両方の性質を有したＦｅ、Ｎｉ、Ｃｏ等を用いることができる。磁性金属粒子３６の形状には、略球形状のものを用いることができる。また、磁性金属粒子３６の粒径Ｒは、数ミクロン程度に形成することが好ましい。
【００３０】
このような導電性と磁性との両方の性質を有した磁性金属粒子３６を分散させた樹脂３５を用いてバックカバー１２を形成することにより、ＰＤＰ２３及び駆動回路装置２４から発生する電磁波と静的な磁界との両方を遮断することができる。これにより、プラズマディスプレイ装置２０内部から発生した静的な磁界により、記録媒体や人体等が悪影響を受けることを防止できる。
【００３１】
また、磁性金属粒子３６の粒径Ｒは、数ミクロン程度であり、非常に小さいため、樹脂３５に分散させた際、樹脂３５本来の加工性能を低下させることがなく、所望の形状、例えば、複雑な形状や曲線等を有した形状にバックカバー１２を加工することが可能となる。これにより、バックカバー１２のデザインの自由度を向上させることができる。
【００３２】
図５は、繊維状の磁性金属を分散させた樹脂を模式的に示した図である。図５に示すように、熱仮塑性の樹脂４１には、繊維状の磁性金属４２が分散されている。磁性金属４２には、例えば、その長さＬが数ｍｍ程度のものを用いることができる。このような繊維状の磁性金属４２を分散させた樹脂４１を用いて、バックカバー１２を加工した場合にもＰＤＰ２３及び駆動回路装置２４から発生する電磁波と静的な磁界との両方を遮断することができ、かつ所望の形状にバックカバー１２を加工することができる。
【００３３】
図６は、駆動回路装置とバックカバーとの間をグランド接続したプラズマディスプレイ装置の断面図である。なお、図６において、図２と同一構成部分には同一符号を付して説明を省略する。
【００３４】
プラズマディスプレイ装置４５は、大略するとフィルタ２１と、ＰＤＰ２３と、駆動回路装置２４と、バックカバー２５と、グランド接続部４４と、金属シャーシ６４と、フレキシブルケーブル６５とにより構成されている。バックカバー２５の駆動回路装置２４と対向する面には、グラウンド面２５ａが形成されている。
【００３５】
グランド接続部４４は、駆動回路装置２４とバックカバー２５との間を接続するように設けられている。このように導電性を有する駆動回路装置２４と、絶縁性を有するバックカバー２５との間にはグランド接続部４４が設けられている。グランド接続部は、例えば、ネジを用いたネジ部により構成することができる。
【００３６】
このようなグランド接続部４４を設けることにより、駆動回路装置２４から放出される電磁波と静的な磁界とを効果的に遮蔽することができる。
［第２実施例］
次に、図７を参照しては、本発明の第２実施例によるプラズマディスプレイ装置５０の概略の構成について説明する。図７は、本発明の第２実施例によるプラズマディスプレイ装置の概略を示した断面図である。なお、図７において、図２と同一構成部分に関しては、同一符号を付して説明を省略する。
【００３７】
プラズマディスプレイ装置５０は、大略するとフィルタ２１と、ＰＤＰ２３と、駆動回路装置２４と、バックカバー２５と、駆動回路用シールド部材５１と、金属シャーシ６４と、フレキシブルケーブル６５とにより構成されている。
【００３８】
第３のシールド部材である駆動回路用シールド部材５１は、金属シャーシ６４と接続させた状態で駆動回路装置２４を覆うように形成されている。この駆動回路用シールド部材５１は、先の図４で説明した導電性と磁性との両方の性質を有したＦｅ、Ｎｉ、Ｃｏ等の磁性金属粒子３６を分散させた樹脂３５により形成されている。なお、この駆動回路用シールド部材５１には、駆動回路装置２４とＰＤＰ２３とを接続するためのフレキシブルケーブル６５等を通過させるための開口部Ｓが設けられている。
【００３９】
このような駆動回路用シールド部材５１により駆動回路装置２４を覆うことにより、駆動回路装置２４から放出される電磁波と静的な磁界との両方を遮蔽することができる。
【００４０】
図８は、開口部を有した駆動回路用シールド部材を適用したプラズマディスプレイ装置の断面図である。なお、図８において、図７と同一構成部分には同一符号を付して説明を省略する。図８に示すように、駆動回路装置２４を覆う駆動回路用シールド部材５２は、導電性と磁性との両方の性質を有した磁性金属粒子３６を分散させた樹脂３５により形成されている。また、駆動回路用シールド部材５２には、開口部５２ａが設けられている。なお、この駆動回路用シールド部材５２には、駆動回路装置２４とＰＤＰ２３とを接続するためのフレキシブルケーブル６５等を通過させるための開口部Ｓが設けられている。
【００４１】
このように、駆動回路用シールド部材５２に開口部５２ａを設けることにより、駆動回路装置２４から発生する熱を開口部５２ａから駆動回路用シールド部材５２外へ放出することができる。なお、本実施例において、駆動回路用シールド部材５２に形成された開口部５２ａは、本実施例の個数、形状、配設位置に限定されるものではない。
［第３実施例］
次に、図９を参照しては、本発明の第３実施例によるプラズマディスプレイ装置６０の概略の構成について説明する。図９は、本発明の第３実施例によるプラズマディスプレイ装置の概略を示した断面図である。なお、図９において、図２と同一構成部分に関しては、同一符号を付す。
【００４２】
プラズマディスプレイ装置６０は、大略するとフィルタ２１と、ＰＤＰ２３と、バックカバー２５と、駆動回路装置５７と、金属シャーシ６４と、フレキシブルケーブル６５とにより構成されている。
【００４３】
次に、図１０乃至図１１を参照して、駆動回路装置５７について説明する。なお、本実施例では、Ｘ電極駆動回路がその他の回路と比較して、強い電磁波又は強い静的な磁界を放出する回路である場合を例に挙げて説明する。
【００４４】
図１０は、Ｘ電極駆動回路にシールド部材を設けた場合の駆動回路装置の概略図であり、図１１は、図１０に示したＸ電極駆動回路及びシールド部材のＡ−Ａ線方向の断面図である。なお、図１０において、図３と同一構成部分に関しては同一の符号を付す。
【００４５】
駆動回路装置５７は、大略するとＸ電極駆動回路２６と、Ｙ電極駆動回路２７と、電源回路２８と、アドレス駆動回路３１と、制御回路３２と、シールド部材５９とにより構成されている。第３のシールド部材であるシールド部材５９は、金属シャーシ６４に接続され状態でＸ電極駆動回路２６を内包するように設けられている。このシールド部材５９は、先の図４で説明した導電性と磁性との両方の性質を有したＦｅ、Ｎｉ、Ｃｏ等の磁性金属粒子３６を分散させた樹脂３５により形成されている。
【００４６】
このようなシールド部材５９をＸ電極駆動回路２６に設けることにより、Ｘ電極駆動回路２６から放出される電磁波及び静的な磁界を遮蔽することができる。これにより、Ｘ電極駆動回路２６から放出される電磁波及び静的な磁界が、他の回路等に悪影響を及ぼすことを防止できる。このように、強い電磁波又は強い静的な磁界を放出する回路に対して個々にシールド部材５９を設けることで、効率よく、電磁波及び静的な磁界を遮蔽することができる。
【００４７】
次に、図１２乃至図１３を参照して、開口部を設けたシールド部材について説明する。図１２は、Ｘ電極駆動回路に開口部を有したシールド部材を設けた場合の駆動回路装置の概略図であり、図１３は、図１２に示したＸ電極駆動回路及びシールド部材のＢ−Ｂ線方向の断面図である。なお、図１２において、図３と同一構成部分に関しては同一の符号を付す。
【００４８】
駆動回路装置６２は、大略するとＸ電極駆動回路２６と、Ｙ電極駆動回路２７と、電源回路２８と、アドレス駆動回路３１と、制御回路３２と、シールド部材６３とにより構成されている。第３のシールド部材であるシールド部材６３は、金属シャーシ６４と接続された状態でＸ電極駆動回路２６を内包するように設けられている。このシールド部材６３は、先の図４で説明した導電性と磁性との両方の性質を有したＦｅ、Ｎｉ、Ｃｏ等の磁性金属粒子３６を分散させた樹脂３５により形成されている。また、シールド部材６３には、開口部６３ａが形成されている。
【００４９】
このように、シールド部材６３に開口部６３ａを形成することにより、Ｘ電極駆動回路２６から発生する熱を、開口部６３ａからシールド部材６３の外に逃がして放熱することができ、シールド部材６３内に熱が蓄積されることを防止できる。
【００５０】
なお、本実施例では、Ｘ電極駆動回路２６にシールド部材５９又はシールド部材６３を設けた場合を例に挙げて説明したが、電磁波及び静的な磁界を強く放出する回路のみにシールド部材５９又はシールド部材６３を設けた構成としても良いし、全ての回路にシールド部材５９又はシールド部材６３をそれぞれ設けた構成としても良い。
【００５１】
以上、本発明の好ましい実施例について詳述したが、本発明はかかる特定の実施形態に限定されるものではなく、特許請求の範囲内に記載された本発明の要旨の範囲内において、種々の変形・変更が可能である。
【産業上の利用可能性】
【００５２】
電磁波のみでなく、静的な磁界をも遮断でき、かつ筐体のデザインの自由度を向上させることのできる表示装置に適用できる。
【図面の簡単な説明】
【００５３】
【図１】従来のプラズマディスプレイ装置の概略を示した断面図である。
【図２】本発明の第１実施例によるプラズマディスプレイ装置の概略を示した断面図である。
【図３】駆動回路装置の概略図である。
【図４】本実施例のバックカバーに適用される材料を模式的に示した図である。
【図５】繊維状の磁性金属を分散させた樹脂を模式的に示した図である。
【図６】駆動回路装置とバックカバーとの間をグランド接続したプラズマディスプレイ装置の断面図である。
【図７】本発明の第２実施例によるプラズマディスプレイ装置の概略を示した断面図である。
【図８】開口部を有した駆動回路用シールド部材を適用したプラズマディスプレイ装置の断面図である。
【図９】本発明の第３実施例によるプラズマディスプレイ装置の概略を示した断面図である。
【図１０】Ｘ電極駆動回路にシールド部材を設けた場合の駆動回路装置の概略図である。
【図１１】図１０に示したＸ電極駆動回路及びシールド部材のＡ−Ａ線方向の断面図である。
【図１２】Ｘ電極駆動回路に開口部を有したシールド部材を設けた場合の駆動回路装置の概略図である。
【図１３】図１２に示したＸ電極駆動回路及びシールド部材のＢ−Ｂ線方向の断面図である。
【符号の説明】
【００５４】
１０、２０、４５、５０、５５、６０  プラズマディスプレイ装置
１１  エスカッション
１２、２５  バックカバー
１３、２３  ＰＤＰ
１４  熱伝導パテ
１６  アルミシャーシ
１７  駆動回路基板
２１  フィルタ
２３Ａ  画像表示領域
２４、５７、６２  駆動回路装置
２５ａ  グランド面
２６  Ｘ電極駆動回路
２７  Ｙ電極駆動回路
２８  電源回路
３１  アドレス駆動回路
３２  制御回路
３５、４１  樹脂
３６  磁性金属粒子
４２  磁性金属
４４  グランド接続部
５１、５２  駆動回路用シールド部材
５２ａ、６３ａ、Ｓ  開口部
５９、６３  シールド部材
６４  金属シャーシ
６５  フレキシブルケーブル
Ｌ  長さ
Ｒ  粒径
【図１】
0004681805.tif 000002
【図２】
0004681805.tif 000003
【図３】
0004681805.tif 000004
【図４】
0004681805.tif 000005
【図５】
0004681805.tif 000006
【図６】
0004681805.tif 000007
【図７】
0004681805.tif 000008
【図８】
0004681805.tif 000009
【図９】
0004681805.tif 000010
【図１０】
0004681805.tif 000011
【図１１】
0004681805.tif 000012
【図１２】
0004681805.tif 000013
【図１３】
0004681805.tif 000014